(57)【要約】【課題】容器内の液状内容物の流出経路を規制することで注出状態を視認し易くし、液状内容物の注出を安定して容易に行うこと。【解決手段】容器２の口部２１に取り付けられて使用される注出キャップ１であって、有底筒状の注出口部１０と、該注出口部１０の底部１６から突出し、該注出口部１０の筒状部１５との間に環状の溝部１９を形成する突出部１１と、突出部１１の外周部１８又は平面視において該外周部１８より外側に設けられ、容器２内の化粧水を溝部１９内に流出させる複数の流出孔１２ａ〜１２ｄとを備えており、突出部１１の中心軸Ｘから該突出部１１の外周部１８までの距離ｄ１と、該中心軸Ｘから筒状部１５の内周面１５ａまでの距離ｄ２とが、関係式ｄ１＞ｄ２／２を満たしている。【選択図】図２
2018024444.tif 000002
【特許請求の範囲】
【請求項１】
容器の口部に取り付けられて使用される注出キャップであって、
有底筒状の注出口部と、該注出口部の底部から突出し、該注出口部の筒状部との間に環状の溝部を形成する突出部と、前記突出部の外周部又は平面視において該外周部より外側に設けられ、前記容器内の液状内容物を前記溝部内に流出させる複数の流出孔とを備えており、
前記突出部の中心軸から該突出部の前記外周部までの距離ｄ１と、該中心軸から前記筒状部の内周面までの距離ｄ２とが、関係式ｄ１＞ｄ２／２を満たす注出キャップ。
【請求項２】
前記複数の流出孔として、前記突出部の中心軸を挟んで相対向する位置に形成された一対の流出孔を一対又は複数対有している、請求項１に記載の注出キャップ。
【請求項３】
前記複数の流出孔は、前記突出部の前記外周部に設けられており、
前記複数の流出孔の総面積は、前記外周部の外面の、前記複数の流出孔の総面積を除いた面積よりも小さい、請求項１又は２に記載の注出キャップ。
【請求項４】
前記複数の流出孔は、前記筒状部の前記底部に設けられており、
前記複数の流出孔の総面積は、前記底部の表面の、前記複数の流出孔の総面積を除いた面積よりも小さい、請求項１又は２に記載の注出キャップ。
【請求項５】
前記注出口部の前記筒状部は、前記中心軸方向の高さが該中心軸方向における前記突出部の高さよりも高い、請求項１〜４の何れか１項に記載の注出キャップ。
【請求項６】
前記注出口部の前記筒状部は、前記中心軸方向の高さが前記突出部の前記中心軸から該突出部の前記外周部までの距離ｄ１よりも長い、請求項１〜４の何れか１項に記載の注出キャップ。
【請求項７】
突出部の基端と筒状部の内周面側の先端とを結ぶ線と、前記注出口部の前記底部とのなす角度θが、３０°以上９０°未満である、請求項１〜６の何れか１項に記載の注出キャップ。
【請求項８】
請求項１〜７の何れか１項に記載の注出キャップと、液状内容物が収容された容器とを備えた液体注出具。
【請求項９】
前記筒状部は、前記容器の口部の内周面の近傍に配置されている請求項８に記載の液体注出具。
【発明の詳細な説明】
【技術分野】
【０００１】
本発明は、注出キャップ及びそれを備えた液体注出具に関する。
【背景技術】
【０００２】
従来、各種洗剤や化粧品、食品等が収容された小型の液体注出具には、各種洗剤や化粧品、食品等が予め収容された容器に注出キャップが直接取り付けられており、注出キャップを介して容器内に収容された液状内容物が注出される。
【０００３】
そのため、注出キャップには、液状内容物の不定期な変動を伴った流出を防止するための様々な工夫がなされている。例えば特許文献１には、複数の流出孔を等間隔に設けることで、液状内容物を注出する際の空気置換を容易に行えるようにした注出中栓が開示されている。また特許文献２には、突出筒部の天面部の内面に内容物を衝突させて、内容物の勢いを低減させる中栓部材が開示されている。
【先行技術文献】
【特許文献】
【０００４】
【特許文献１】特開平１０−１７５６５８号公報
【特許文献２】特開２０１０−６３９６号公報
【発明の概要】
【発明が解決しようとする課題】
【０００５】
一方、容器内に収容される液状内容物には様々な成分が含有しているのが一般的であるが、液状内容物の粘度によって、液状内容物を出しにくかったり、また一度に大量の液状内容物がでてしまう場合がある。このように、容器内に収容された液状内容物においては、一定量を安定して注出するのに苦労を要することがある。
【０００６】
これに対しては、例えば、上記の特許文献１に記載の注出中栓では、空気置換を行うことで注出時における液状内容物の不定期な変動を伴った流出は防止できるが、一定量を安定して注出させることは容易ではない。また、特許文献２に記載の中栓部材においては、突出筒部を設けることで注出時の液状内容物の勢いを低減させることはできるが、突出筒部が注出口部よりもキャップ軸よりに設けられているため、突出筒部に設けられた開口から流出される液状内容物はすぐに注出口部に到達し、注出されることとなる。つまり、特許文献２に記載の中栓部材においても、一定量の液状内容物を安定して注出させることは容易ではない。
【０００７】
したがって本発明の課題は、前述した従来技術が有する欠点を解消し得る注出キャップ及び液体注出具を提供することにある。
【課題を解決するための手段】
【０００８】
本発明は、容器の口部に取り付けられて使用される注出キャップであって、有底筒状の注出口部と、該注出口部の底部から突出し、該注出口部の筒状部との間に環状の溝部を形成する突出部と、前記突出部の外周部又は平面視において該外周部より外側に設けられ、前記容器内の液状内容物を前記溝部内に流出させる複数の流出孔とを備えており、前記突出部の中心軸から該突出部の前記外周部までの距離ｄ１と、該中心軸から前記筒状部の内周面までの距離ｄ２とが、関係式ｄ１＞ｄ２／２を満たす注出キャップを提供するものである。
【０００９】
本発明は、前記の注出キャップと、液状内容物が収容された容器とを備えた液体注出具を提供するものである。
【発明の効果】
【００１０】
本発明の注出キャップ及び液体注出具によれば、容器内の液状内容物の流出経路を規制することで注出状態を視認し易くし、液状内容物の注出を安定して容易に行うことができる。
【図面の簡単な説明】
【００１１】
【図１】図１は、本発明の実施形態に係る注出キャップを有する液体注出具を示す斜視図である。
【図２】図２は、図１に示す注出キャップのＡ−Ａ線断面図である。
【図３】図３は、図１に示す注出キャップの略示平面図である。
【図４】図４は、図１に示す注出キャップの略示底面図である。
【図５】図５は、図１に示す注出キャップを有する液体注出具に、オーバーキャップを取り付けた状態を示す部分拡大断面図である。
【図６】図６は、注出キャップを介して、容器内に収容された化粧水が注出される状態を示す斜視図である。
【図７】図７（ａ）は本発明の他の実施形態に係る注出キャップを模式的に示す略示断面図であり、図７（ｂ）は図７（ａ）の略示平面図である。
【図８】図８（ａ）は本発明の他の実施形態に係る注出キャップを模式的に示す略示断面図であり、図８（ｂ）は図８（ａ）の略示平面図である。
【発明を実施するための形態】
【００１２】
以下本発明を、その好ましい実施形態に基づき図面を参照しながら説明する。図１には、本発明の実施形態に係る注出キャップ１を有する液体注出具１００の斜視図が示されており、図２には図１に示す注出キャップ１のＡ−Ａ線断面図が示されている。図３には、図１に示す注出キャップ１を上方から見た略示平面図（上面図）が示されており、図４には、図１に示す注出キャップ１の略示底面図が示されている。
【００１３】
本発明の実施形態に係る液体注出具１００は、液状内容物として化粧水が収容されている化粧水注出具であり、図１に示すように、化粧水を注出する際に用いられる注出キャップ１と、化粧水が収容された容器２とを備えている。
【００１４】
図２〜図４に示すように、注出キャップ１は、有底筒状の注出口部１０と、該注出口部１０の底部１６から突出し、該注出口部１０の筒状部１５との間に環状の溝部１９を形成する突出部１１と、突出部１１の外周部１８に設けられ、容器２内の化粧水を溝部１９内に流出させる複数の流出孔１２ａ〜１２ｄとを備えている。また注出キャップ１は、注出口部１０の下部に設けられ、容器２に取り付けられる取付け部１３と、取付け部１３の内部に設けられ、容器２をシールするシール部１４とを備えている。
【００１５】
注出口部１０は、円筒状に形成された筒状部１５と、筒状部１５の内部に設けられる底部１６とを有している。
図２及び図３に示すように、筒状部１５は、平面視における、注出キャップ１の中心軸（以下、単に「中心軸」ともいう）Ｘからの距離（半径）が、根本部から先端部に向けて徐々に大きくなる広がり形状に形成されている。また、筒状部１５は、根本部から先端部に向かって肉厚が徐々に薄くなるように形成されている。本実施形態では、筒状部１５の先端部側において、内周面１５ａの曲率を外周面１５ｂの曲率よりも大きくすることで、筒状部１５を先端部に向けて広がり形状にすると共に、先端部側の肉厚を徐々に薄くしている。
筒状部１５を根本部から先端部に向けて、外方に向かって曲面状に広がる広がり形状に形成することで、化粧水を注出し終えた際に、筒状部１５の先端での化粧水の流れの切れを好適にすることができる。また、先端部に向かって肉厚が薄くなるようにすることで、先端部側が弾性変形しやすくなり、後述するオーバーキャップ３で筒状部１５の先端部をシールし易くなる。
【００１６】
筒状部１５は、中心軸Ｘ方向の高さＨ１が、中心軸Ｘ方向における突出部１１の高さＨ２よりも高くなるように形成されることが好ましい。また筒状部１５は、中心軸Ｘ方向の高さＨ１が全周に亘って突出部１１の中心軸Ｘ方向の高さＨ２よりも高くなるよう形成されることが好ましい。筒状部１５の中心軸Ｘ方向の高さＨ１を突出部１１の中心軸Ｘ方向の高さＨ２よりも高くすることで、流出孔１２ａ〜１２ｄから流れ出した化粧水を視認しながらゆっくりと筒状部１５の先端まで移動させることができる。また複数の流出孔１２ａ〜１２ｄから化粧水が合流しやすくなる。
【００１７】
本実施形態では、筒状部１５は、中心軸Ｘ方向の高さＨ１が中心軸Ｘから突出部１１の外周部１８までの距離ｄ１（以下、単に「距離ｄ１」ともいう）よりも長くなるように形成されている。距離ｄ１は、中心軸Ｘと直交する方向における、中心軸Ｘから突出部１１の後述する外周部１８の外周面１８ａ側の基端までの距離である。また筒状部１５は、中心軸Ｘ方向の高さＨ１が全周に亘って距離ｄ１よりも長くなるように形成されている。更に筒状部１５は、全周に亘って同じ高さＨ１に形成されている。筒状部１５の中心軸Ｘ方向の高さＨ１を距離ｄ１よりも長くすることで、突出部１１の中心軸Ｘ方向の高さＨ２よりも高くした場合よりも、流出孔１２ａ〜１２ｄから流れ出した化粧水の視認が容易となり、上述した化粧水の流出状態の調整が容易となる。また複数の流出孔１２ａ〜１２ｄから化粧水が合流しやすくなる。更に、筒状部１５の中心軸Ｘ方向の高さＨ１を全周に亘って同じ高さにすることで、化粧水を注出する際の液体注出具１００の傾斜方向にかかわらず、筒状部１５の何れの箇所からも化粧水を同じように注出させることができる。
【００１８】
なお、本実施形態では、筒状部１５の中心軸Ｘ方向の高さＨ１を、周方向の全周に亘って、距離ｄ１よりも高くしたが、少なくとも一部を、距離ｄ１よりも高くしても良い。また本実施形態では、筒状部１５の中心軸Ｘ方向の高さＨ１を周方向の全周に亘って同じ高さにしたが、周方向における筒状部１５の中心軸Ｘ方向の高さＨ１を異なる高さにしても良い。また、筒状部１５は、根本部から先端部に向けて外方に向かって曲面状に広がる広がり形状に形成したが、根本部から先端部に向けて外方に向かって直線状に広がる広がり形状に形成しても良く、同径の筒状に形成しても良い。更に筒状部１５は、平面視において楕円形状や多角柱形状の筒状としても良い。
【００１９】
底部１６は、注出口部１０の基端に設けられており、取付け部１３との間に配されている。また底部１６は、中心軸Ｘに対して略直交するように設けられている。
【００２０】
図２に示すように、突出部１１は、底部１６に連結されており、底部１６の上面１６ａから中心軸Ｘ方向の上方に向けて突出形成されている。また突出部１１は、距離ｄ１と、中心軸Ｘから筒状部１５の内周面１５ａまでの距離ｄ２とが、関係式ｄ１＞ｄ２／２を満たしている。距離ｄ２は、中心軸Ｘと直交する方向における、中心軸Ｘから筒状部１５の内周面１５ａの基端までの距離（以下、単に「距離ｄ２」ともいう）である。突出部１１は、距離ｄ１と距離ｄ２とが関係式ｄ１＞ｄ２／２を満たすことで、注出口部１０の筒状部１５との間の好適な位置に、好適な幅の環状の溝部１９を形成することができる。具体的には、距離ｄ１と距離ｄ２とが関係式ｄ１＞ｄ２／２を満たすことで、溝部１９を筒状部１５に沿って好適に湾曲させた形状にすることが可能になり、例えば、化粧水を注出するために液体注出具１００を傾けた際に、化粧水が溝部１９に沿って注出位置に向けて湾曲して流れ、直線的に流れる場合よりも時間をかけて注出位置に到達させることができる。そのため、化粧水の注出状態が視認し易くなり、化粧水の注出を安定して容易に行うことができる。
また、使用者に化粧水が粘度を有しているように感じさせ、化粧水の効果に対する期待感を向上させることも期待できる。
【００２１】
前記距離ｄ１は、前記距離ｄ２に対する割合（ｄ１／ｄ２）が、化粧水を好適に湾曲させて流出させる観点から６０％以上が好ましく、更に好ましくは７０％以上である。また、同様の観点から１００％未満が好ましく、更に好ましくは９０％以下である。具体的には、好ましくは６０％以上１００％未満であり、更に好ましく７０％以上９０％以下である。
【００２２】
なお、本発明の注出キャップ１は、筒状部１５の周方向の一部のみにおいて、距離ｄ１と、距離ｄ２とが、関係式ｄ１＞ｄ２／２を満たしていても良い。しかし、本発明の効果がより確実に奏されるようにする観点から、前記距離ｄ１と前記距離ｄ２とが、関係式ｄ１＞ｄ２／２を満たす角度範囲は、筒状部１５の全周に亘って前記を満たす場合の角度範囲を３６０°としたときに、好ましくは１２０°以上３６０°以下、より好ましくは１８０°以上３６０°以下、更に好ましくは２４０°以上３６０°以下である。
【００２３】
また、突出部１１は、上部が封止された筒状の円錐台形状に形成されており、上部を封止する天面部１７と、天面部１７と底部１６とを連結し、筒状部１５との間に環状の溝部１９を形成する外周部１８とを有している。
このように、本実施形態の突出部１１は、天面部１７と底部１６との間に天面部１７と底部１６とを連結する外周部１８を備えている。言い換えると、天面部１７の内方且つ底部１６の上方に空間が設けられるように外周部１８が設けられている。外周部１８を設けることで、外周部１８に複数の流出孔１２ａ〜１２ｄを形成した場合に、複数の流出孔１２ａ〜１２ｄから容器２内に化粧水が戻り易くなる。例えば、粘度の高い化粧水や液状内容物の場合、流出孔１２ａ〜１２ｄに膜をはり易くなり、容器２にスクイズ性があると容器２を把持した際に、流出孔１２ａ〜１２ｄにシャボン玉のような泡ができやすくなる。しかし、上記構成にすることで、流出孔１２ａ〜１２ｄに膜がはられ難くなり、膜がはられた場合でも膜が除去され易くなる。つまり、容器２内に化粧水が戻り易くなり、化粧水が容器２内に戻り易くなることで、注出口部１０内に化粧水が滞留することが防止され、注出口部１０からの不要な液漏れを防止することができる。
【００２４】
図３に示すように、天面部１７は、平面視において、略円形状に形成されており、その中心が中心軸Ｘ上に位置すると共に、中心軸Ｘ（図２参照）に対して略直交するように設けられている。天面部１７を設けることで、外周部１８に設けられる複数の流出孔１２ａ〜１２ｄを見え難くすることが可能になり、注出キャップ１を上方から見た際の美観を向上させることができる。また、天面部１７を設けることで、化粧水を注出するために液体注出具１００を傾けた際に、容器２内の化粧水を天面部１７の内面に衝突させて化粧水の勢いを低減させることができる。更に天面部１７を設けることで、その内方に空間が設けられ、流出孔の膜の形成を阻害することができる。
【００２５】
図２に示すように、外周部１８は、筒状の円錐台形状（上方が開口した円錐台形状）に形成されており、外周部１８の外周面１８ａと筒状部１５の内周面１５ａとの間に環状の溝部１９を形成している。図３に示すように、外周部１８は、中心軸Ｘから外周面１８の基端までの前述した距離ｄ１が、前述した距離ｄ２の半分よりも大きくなるように形成されている。言い換えると、外周部１８は、距離ｄ１と距離ｄ２とが関係式ｄ１＞ｄ２／２を満たすように形成されている。
【００２６】
複数の流出孔１２ａ〜１２ｄは、略矩形状に形成され、それぞれ突出部１１の外周部１８に形成されている。複数の流出孔１２ａ〜１２ｄを外周部１８に設けることで、前述したように、化粧水の容器２内への化粧水の戻り性が向上する。なお、複数の流出孔１２ａ〜１２ｄの形状は略矩形状に限らず、円形や多角形状であっても良い。
【００２７】
また図３及び図４に示すように、複数の流出孔１２ａ〜１２ｄのうち、流出孔１２ａと流出孔１２ｂとは中心軸Ｘを挟んで相対向する位置に形成され、流出孔１２ｃと流出孔１２ｄとは中心軸Ｘを挟んで相対向する位置に設けられている。つまり、本実施形態では、複数の流出孔１２ａ〜１２ｄは、中心軸Ｘを挟んで相対向する位置に設けられた一対の流出孔を２対有する構成となっている。このように、１対の流出孔１２ａ，１２ｂを設けることで、一方が空気孔となり、他方が流出孔となった場合にそれぞれの孔が最も離れた位置になり、一方の孔から液が吐出され、他方の孔が液でふさがれにくくなるため、空気置換がスムーズになり、脈動することなく吐出することができる。
しかし、本発明の効果がより確実に奏されるようにする観点から、複数の流出孔は２対以上有することが好ましく、本実施形態のように、２対の流出孔１２ａ〜１２ｄを設けることで、傾ける場所によらず安定した吐出を可能とし、また溝部１９から内周面１５を伝って、ゆっくり液を吐出させることができる。
また、複数の流出孔１２ａ〜１２ｄは、筒状部１５の周方向に等間隔に配されることが好ましい。本実施形態では、複数の流出孔１２ａ〜１２ｄは、筒状部１５をその周方向に３６０度に分割した時に、９０度の間隔で配置されている。流出孔１２ａ〜１２ｄを筒状部１５の周方向に等間隔で配することで、傾ける場所によらず、空気置換経路と液吐出経路を確実に分離できるため、流量のバラつきをなくし安定した吐出を可能にできる。特に、本実施形態のように、９０度の間隔で配置することで、天面部１７を４か所の外周部１８で安定保持できるため、後述するオーバーキャップ３の第２シール部３２と天面部１７の強固な連結が可能となり、液シール構造を確保できる。
【００２８】
複数の流出孔１２ａ〜１２ｄは、化粧水等のような粘度の低い剤をコントロールしながら取り出したい位置に適量を取り出す観点から、その総面積（合計面積）が、外周部１８の外周面１８ａの、複数の流出孔１２ａ〜１２ｄの総面積を除いた面積よりも小さくなるように形成されている。外周面１８ａにおける複数の流出孔１２ａ〜１２ｄの総面積を除いた面積に対する複数の流出孔１２ａ〜１２ｄの総面積は、上述の観点から、０．５％以上が好ましく、より好ましくは１％以上である。また同様の観点から、５０％以下が好ましく、更に好ましくは３０％以下である。具体的には、０．５％以上５０％以下が好ましく、更に好ましくは１％以上３０％以下である。
【００２９】
同様の観点から、複数の流出孔１２ａ〜１２ｄは、その総面積（合計面積）が、突出部１１の表面積の、複数の流出孔１２ａ〜１２ｄの総面積を除いた面積よりも小さくなるように形成されている。突出部１１に表面積における複数の流出孔１２ａ〜１２ｄの総面積を除いた面積に対する複数の流出孔１２ａ〜１２ｄの総面積は、上述の観点から、１％以上が好ましく、より好ましくは２％以上である。また同様の観点から、７０％以下が好ましく、更に好ましくは５０％以下である。具体的には、１％以上７０％以下が好ましく、更に好ましくは２％以上５０％以下である。
【００３０】
図２に示すように、取付け部１３は、注出口部１０の下部に設けられており、内周面にネジ部１３ａが形成されている。ネジ部１３ａは、容器２に形成される後述の第１ネジ部２２に螺合可能に形成されており、取付け部１３のネジ部１３ａを容器２の第１ネジ部２２に螺合させることで、注出キャップ１が容器２に固定される。取付け部１３の内径は、注出口部１０の基端部の外径よりも僅かに大きく形成されている。
【００３１】
図２に示すように、シール部１４は、取付け部１３の内部に設けられている。具体的には、シール部１４は、取付け部１３の内部において、底部１６の下面１６ｂから下方に向かって延出するように形成されている。シール部１４は、容器２の後述する口部２１の内周面よりも僅かに大きい略円柱状に形成されており、図５に示すように、容器２の口部２１の内周面に密着可能に形成されている。シール部１４は、取付け部１３のネジ部１３ａを容器２の第１ネジ部２２に螺合させた際に、容器２の口部２１の内周面に密着することで、口部２１との隙間を無くし、取付け部１３からの化粧水の漏れを防止している。
【００３２】
容器２は、自立可能な有底の細長い円筒状の容器であり、内部に化粧水が収容可能になっている。また容器２は、図１に示すように、中心軸Ｘ上で注出キャップ１が取り付けられるようになっている。つまり、中心軸Ｘは容器２の中心軸と同軸上にあり、中心軸Ｘが容器２の中心軸となる。
容器２は、中心軸Ｘにおける底部２０と反対側の端部に口部２１を有している。口部２１の外周面には、第１ネジ部２２が形成されている。第１ネジ部２２は、注出キャップ１の取付け部１３の内面に形成されたネジ部１３ａと螺合可能に形成されており、前述したように、第１ネジ部２２に注出キャップ１の取付け部１３のネジ部１３ａを螺合することで、注出キャップ１が容器２に固定される。
第１ネジ部２２の下方には、第２ネジ部２３が形成されている。第２ネジ部２３は、後述するオーバーキャップ３のネジ部３３に螺合可能に形成されている。第２ネジ部２３は、オーバーキャップ３のネジ部３３を螺合させることで、オーバーキャップ３が容器２に固定される。
【００３３】
図５に示すように、液体注出具１００は、注出キャップ１が取り付けられた容器２を封止可能なオーバーキャップ３を備えることが好ましい。オーバーキャップ３は、注出キャップ１が取り付けられた状態の容器２の口部２１を被覆可能に形成されている。
【００３４】
オーバーキャップ３は、内上面（内側の上面）に設けられ、弾性変形可能な第１シール部３１及び第２シール部３２と、内側面（内側の側面）に形成されるネジ部３３とを備えており、容器２と同軸上（中心軸Ｘ上）で、容器２に取り付け可能になっている。
第１シール部３１は、筒状部１５の先端部側の内径よりも僅かに大きな外径の略円柱状に形成されており、筒状部１５の先端部側の内面にシール可能に形成されている。
第２シール部３２は、突出部１１の外径よりも僅かに小さな内径の略円柱状に形成されており、突出部１１の天面部１７の外縁及び外周部１８の外周面１８ａにシール可能に形成されている。また、第２シール部３２は、外周面１８ａに形成された複数の流出孔１２ａ〜１２ｄを封止可能に形成されている。
オーバーキャップ３は、外周面１８ａに形成された複数の流出孔１２ａ〜１２ｄを封止可能な第２シール部３２を有することで、例えば、液体注出具１００が倒れた場合においても、第２シール部３２が複数の流出孔１２ａ〜１２ｄを封止することで、第１シール部３１と第２シール部３２との間の空間及び第２シール部３２の内部空間（天面部１７上部）に化粧水が溜まることが防止でき、その後にオーバーキャップ３を取り外した際に、化粧水が溢れて使用者の手に化粧水が付いてしまうことを防止できる。また、第１シール部３１及び第２シール部３２で注出キャップ１と係合することで、確実に化粧水の漏れを防止することができる。
ネジ部３３は、容器２の第２ネジ部２３に螺合可能に形成されている。ネジ部３３は、容器２の第２ネジ部２３に螺合することで、オーバーキャップ３を容器２に固定する。
【００３５】
次に、上述した本発明の実施形態の注出キャップ１が取り付けられた液体注出具１００を使用した際の作用効果について説明する。図６には、注出キャップ１を介して、容器２内に収容された化粧水が注出される状態が示されている。
上述したように、本実施形態の液体注出具１００は、注出キャップ１の注出口部１０の内部に底部１６から突出する突出部１１が設けられており、突出部１１は、距離ｄ１と距離ｄ２とが、関係式ｄ１＞ｄ２／２を満たすように形成されている。突出部１１は、距離ｄ１と距離ｄ２とが関係式ｄ１＞ｄ２／２を満たすように形成することで、注出口部１０の筒状部１５との間の好適な位置に、好適な幅の環状の溝部１９を形成することができる。具体的には、距離ｄ１と距離ｄ２とが関係式ｄ１＞ｄ２／２を満たすようにすることで、溝部１９を好適に湾曲させた形状にすることが可能になり、例えば、化粧水を注出するために液体注出具１００を傾けた際に、化粧水が溝部１９に沿って注出位置に向けて湾曲して流れ、直線的に流れる場合よりも時間をかけて注出位置に到達させることができる。そのため、化粧水の注出状態が視認し易くなり、化粧水の注出を安定して容易に行うことができる。また、使用者に化粧水が粘度を有しているように感じさせ、化粧水の効果に対する期待感を向上させることが期待できる。
【００３６】
更に、筒状部１５は、中心軸Ｘ方向の高さＨ１が距離ｄ１よりも長くなるように形成されている。筒状部１５の中心軸Ｘ方向の高さＨ１を突出部１１の中心軸Ｘ方向の高さＨ２よりも高くすることで流出孔１２ａ〜１２ｄから流れ出した化粧水の視認が更に容易となり、上述した化粧水の流出状態の調整が更に容易となる。また複数の流出孔１２ａ〜１２ｄから化粧水が合流しやすくなる。特に本実施形態では、筒状部１５の中心軸Ｘ方向の高さＨ１を距離ｄ１よりも高くしているので、より一層、流出孔１２ａ〜１２ｄから流れ出した化粧水の視認が容易となり、上述した化粧水の流出状態の調整が容易となる。
更に、筒状部１５の中心軸Ｘ方向の高さを全周に亘って同じ高さにすることで、化粧水を注出する際の液体注出具１００の傾斜方向にかかわらず、筒状部１５の何れの箇所からも化粧水を同じように注出させることができる。
【００３７】
前述した一又は二以上の効果がより確実に得られるようにする観点から、注出キャップ１及び液体注出具１００は、以下の構成の一又は二以上を有することが更に好ましい。
筒状部１５の中心軸Ｘ方向の高さＨ１は、前記Ｈ２に対して２００％以上が好ましく、より好ましくは３００％以上であり、また１０００％以下が好ましく、より好ましくは８００％以下である。具体的には、２００％以上１０００％以下が好ましく、より好ましくは３００％以上８００％以下である。
また筒状部１５の中心軸Ｘ方向の高さＨ１は、前記ｄ１に対して１０５％以上が好ましく、より好ましくは１１０％以上であり、また３００％以下が好ましく、より好ましくは２００％以下である。具体的には、１０５％以上３００以下が好ましく、より好ましくは１１０％以上２００％以下である。
【００３８】
突出部１１の基端と筒状部１５の内周面１５ａ側の先端とを結ぶ線と、注出口部１０の底部１６とのなす角度、具体的には、突出部１１の外周部１８の外周面１８ａ側の基端と筒状部１５の内周面１５ａ側の先端とを結ぶ線と、注出口部１０の底部１６の上面１６ａとのなす角度θ（以下、単に「なす角度θ」ともいう）は、液状内容物の注出のし易さの観点から、３０°以上が好ましく、より好ましくは４５°以上である。また、９０°未満が好ましく、より好ましくは８５°以下である。具体的には、３０°以上９０°未満であることが好ましく、より好ましくは４５°以上８５°以下である。
【００３９】
また本実施形態の液体注出具１００は、突出部１１の外周部１８に、周方向に等間隔で配置された２対の流出孔１２ａ〜１２ｄが設けられている。そのため、化粧水を注出するために液体注出具１００を傾けた際に、流出孔どうしが最も離れた一対の流出孔１２ａ，１２ｂ又は一対の流出孔１２ｃ，１２ｄから化粧水が流出し、且つ流出する化粧水が溝部１９に沿って湾曲した流路に沿って流出させることができる。またこのとき、図６に示すように、一対の流出孔１２ｃ，１２ｄから流出された化粧水は、筒状部１５の内周面上で収束し、筒状部１５の先端から線状に流出される。このように、直線的に流出する場合に比して、流出するまでの時間が多くなり、使用者に化粧水の粘度を感じさせることができる。言い換えると、使用者に化粧水のとろみを感じさせることができる。その結果、使用者が化粧水の効果に対する期待感を向上させることが期待できる。
【００４０】
また、本実施形態の液体注出具１００は、容器２の口部２１に取付け部１３を取り付けた際に、口部２１の近傍に注出口部の１０の筒状部１５が位置している。具体的には、口部に隣接するように筒状部１５が位置している。そのため、容器２内の化粧水を視認しながら、筒状部１５から容易に注出することができる。
【００４１】
また本実施形態では、複数の流出孔１２ａ〜１２ｄは、総面積（合計面積）が、外周部１８の外周面１８ａの複数の流出孔１２ａ〜１２ｄの総面積を除いた面積、もしくは、突出部１１の表面積の、複数の流出孔１２ａ〜１２ｄの総面積を除いた面積よりも小さくなるように形成されている。そのため、化粧水等のような粘度の低い剤をコントロールしながら取り出したい位置に適量を取り出すことができる。
【００４２】
以上、本発明をその好ましい実施形態に基づき説明したが、本発明は上述の実施形態に限定されず適宜変更可能である。また、以下においては、本発明の趣旨を逸脱しない範囲で適宜に組み合わせることが可能である。
【００４３】
例えば、複数の流出孔１２ａ〜１２ｄは、図７（ａ）に示す突出部１１Ａ及び図８（ａ）に示す突出部１１Ｂに示すように、注出口部１０の底部１６に設けても良い。底部１６に設ける場合においても、外周部１８に設けられる場合と同様の効果を奏することができる。
また、複数の流出孔１２ａ〜１２ｄは、図７（ａ）に示す突出部１１Ａ及び図８（ａ）に示す突出部１１Ｂに示すように、複数の流出孔１２ａ〜１２ｄを底部１６に設ける場合においても、その総面積が、底部１６の上面１６ａの、複数の流出孔１２ａ〜１２ｄの総面積を除いた面積よりも小さくなるように形成されることが好ましい。この場合、上面１６ａにおける複数の流出孔１２ａ〜１２ｄの総面積を除いた面積に対する複数の流出孔１２ａ〜１２ｄの総面積は、前述の観点から、０．５％以上が好ましく、より好ましくは１％以上である。また同様の観点から、５０％以下が好ましく、更に好ましくは３０％以下である。具体的には、０．５％以上５０％以下が好ましく、更に好ましくは１％以上３０％以下である。
また本実施形態では、突出部１１を上部が封止された筒状の円錐台形状に形成したが、突出部は、上部が封止された略円筒状や、上部が封止された中空の四角柱形状又は多角柱形状等にしても良い。更に、図７（ａ）に示す突出部１１Ａのように、天面部１７を半球体形状（ドーム形状）にしても良く、図８（ａ）に示す突出部１１Ｂのように、底部１６よりも突出した天面部１７を有さない構成としても良い。
【００４４】
また、上述した本実施形態は、液状内容物が化粧水である場合を例に説明したが、本発明における液状内容物は化粧水に限定されず、例えば、化粧水の他、メイク落とし、美容液、洗顔料等の液状化粧料、液状洗剤、液状食品等であっても良い。
また本実施形態では、注出キャップ１と容器２とを別体に形成したが、本発明においては、注出キャップと容器とが一体形成されたものであっても良い。また、注出キャップ１は、容器２に対し脱着可能に取り付けられていても脱着不可能に取り付けられていても良い。更にまた、注出キャップは、取付け部１３のネジ部１３ａを容器２の第１ネジ部２２に螺合させることで、注出キャップ１を容器２に固定したが、他の固定手段により固定する構成であっても良い。
【００４５】
また本実施形態では、筒状部１５をその周方向に３６０度に分割した時に９０度の間隔で配置したが、例えば、複数の流出孔１２ａ〜１２ｄを設ける場合、４５度以上、より好ましくは６０度以上の間隔を空けて形成されていることが好ましい。また、流出孔の間隔は、等間隔であっても、等間隔でなくても良く、複数の流出孔１２ａ〜１２ｄの形状は、矩形状に限らず、楕円形状や湾曲した矩形状等であっても良い。
【符号の説明】
【００４６】
１  注出キャップ
１０  注出口部
１１  突出部
１２ａ〜１２ｄ  流出孔
１５  筒状部
１５ａ  内周面
１６  底部
１７  天面部
１８  外周部
１８ａ  外周面
１９  溝部
２  容器
２１  口部
２２  第１ネジ部
３  オーバーキャップ
１００  液体注出具
【図１】
2018024444.tif 000003
【図２】
2018024444.tif 000004
【図３】
2018024444.tif 000005
【図４】
2018024444.tif 000006
【図５】
2018024444.tif 000007
【図６】
2018024444.tif 000008
【図７】
2018024444.tif 000009
【図８】
2018024444.tif 000010